【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
ヒトの眼の近視の進行を遅らせるシステムであって、
同心環状多ゾーン屈折レンズを備え、
前記レンズが、
屈折異常を矯正する光学屈折力の少なくとも１つの矯正ゾーンと、
近視性の眼の成長を抑制するために、網膜の少なくとも一部分の前方に、焦点がずれた均質でない少なくとも１つの像を投影する少なくとも１つの焦点ずれゾーンであり、少なくとも１つのより弱い負の屈折力を有する、少なくとも１つの焦点ずれゾーンと
を含み、
前記レンズ内において前記矯正ゾーンと前記焦点ずれゾーンとが交互に並んでおり、複数の前記ゾーンが、組み込まれた漸進的な遷移曲線によって互いに接続されている、システム。
【請求項２】
前記レンズがコンタクトレンズの形態をとり、前記レンズの光学面が、２〜４０個の交互に並んだ矯正ゾーン及び焦点ずれゾーンを含む、請求項１に記載のシステム。
【請求項３】
前記レンズが中心ゾーンを有し、前記中心ゾーンが、明所視照明下における前記眼の瞳孔よりも小さな直径を有する円形の第１の矯正ゾーンである、請求項２に記載のシステム。
【請求項４】
前記第１の矯正ゾーンが、環形の第１の焦点ずれゾーンによって直接に取り囲まれている、請求項３に記載のシステム。
【請求項５】
前記第１の焦点ずれゾーンが、環形の第２の矯正ゾーンによって直接に取り囲まれている、請求項４に記載のシステム。
【請求項６】
前記第２の矯正ゾーンが、付加的な焦点ずれゾーン及び矯正ゾーンによって交互に取り囲まれている、請求項５に記載のシステム。
【請求項７】
前記レンズが中心ゾーンを有し、前記中心ゾーンが、明所視照明下における前記眼の瞳孔よりも小さな直径を有する円形の第１の焦点ずれゾーンである、請求項６に記載のシステム。
【請求項８】
前記第１の焦点ずれゾーンが、環形の第１の矯正ゾーンによって直接に取り囲まれている、請求項７に記載のシステム。
【請求項９】
前記第１の矯正ゾーンが、環形の第２の焦点ずれゾーンによって直接に取り囲まれている、請求項８に記載のシステム。
【請求項１０】
前記第２の焦点ずれゾーンが、付加的な焦点ずれゾーン及び矯正ゾーンによって交互に取り囲まれている、請求項９に記載のシステム。
【請求項１１】
前記少なくとも１つの矯正ゾーンの前記屈折力と前記少なくとも１つの焦点ずれゾーンのピーク屈折力との間の最大差が約０．５ジオプトリから約１０．０ジオプトリまでの間である、請求項１に記載のシステム。
【請求項１２】
前記中心ゾーンの直径が約２．０ｍｍ〜４．５ｍｍである、請求項３又は７に記載のシステム。
【請求項１３】
前記少なくとも１つの焦点ずれゾーンの少なくとも一部分と前記矯正ゾーンの少なくとも一部分とが同時に瞳孔の上に位置する、請求項１に記載のシステム。
【請求項１４】
前記少なくとも１つの焦点ずれゾーンに対するある範囲の複数の屈折力をさらに含む、請求項１に記載のシステム。
【請求項１５】
前記少なくとも１つの焦点ずれゾーンの屈折力プロファイルが漸進的であり、それによって隣接する曲線間の遷移が漸進的になる、請求項１に記載のシステム。
【請求項１６】
前記漸進的な屈折力プロファイルが、前記レンズの前側の屈折面の曲率半径を調整することによって、又は前記レンズの後面の曲率若しくは前記レンズの屈折率を調整することによって生み出される、請求項１５に記載のシステム。
【請求項１７】
前記レンズの隣合うゾーン間に、組み込まれた漸進的な遷移曲線をさらに含む、請求項１に記載のシステム。
【請求項１８】
前記少なくとも１つの矯正ゾーンの全体にわたって同じ単一の均質な屈折力をさらに含む、請求項１に記載のシステム。
【請求項１９】
ある範囲の瞳孔サイズ及び照明条件に対して前記矯正ゾーンと前記焦点ずれゾーンの面積比を比較的に安定した大きさに維持するために、前記レンズが、７つの矯正ゾーン及び６つの焦点ずれゾーンを有する、請求項１に記載のシステム。
【請求項２０】
前記レンズが、２つの矯正ゾーン及び１つの焦点ずれゾーンを有する、請求項１に記載のシステム。
【請求項２１】
部分的に正弦曲線状の特性屈折力プロファイルを有する同心多ゾーン多焦点レンズであって、
屈折異常を矯正する光学屈折力の少なくとも１つの矯正ゾーンと、
近視性の眼の成長を抑制するために、網膜の少なくとも一部分の前方に、焦点がずれた均質でない少なくとも１つの像を投影する少なくとも１つの焦点ずれゾーンであり、少なくとも１つのより弱い負の屈折力を有する、少なくとも１つの焦点ずれゾーンと
を含み、
当該同心多ゾーン多焦点レンズ内において前記矯正ゾーンと前記焦点ずれゾーンとが交互に並んでおり、複数の前記ゾーンが、組み込まれた漸進的な遷移曲線によって互いに接続されている、同心多ゾーン多焦点レンズ。
【請求項２２】
コンタクトレンズの形態をとり、当該レンズの光学面が、２〜４０個の交互に並んだ矯正ゾーン及び焦点ずれゾーンを含む、請求項２１に記載の同心多ゾーン多焦点レンズ。
【請求項２３】
中心ゾーンを有し、前記中心ゾーンが、明所視照明下における前記眼の瞳孔よりも小さな直径を有する円形の第１の矯正ゾーンである、請求項２２に記載の同心多ゾーン多焦点レンズ。
【請求項２４】
前記第１の矯正ゾーンが、環形の第１の焦点ずれゾーンによって直接に取り囲まれている、請求項２３に記載の同心多ゾーン多焦点レンズ。
【請求項２５】
前記第１の焦点ずれゾーンが、環形の第２の矯正ゾーンによって直接に取り囲まれている、請求項２４に記載の同心多ゾーン多焦点レンズ。
【請求項２６】
前記第２の矯正ゾーンが、付加的な焦点ずれゾーン及び矯正ゾーンによって交互に取り囲まれている、請求項２５に記載の同心多ゾーン多焦点レンズ。
【請求項２７】
中心ゾーンを有し、前記中心ゾーンが、明所視照明下における前記眼の瞳孔よりも小さな直径を有する円形の第１の焦点ずれゾーンである、請求項２６に記載の同心多ゾーン多焦点レンズ。
【請求項２８】
前記第１の焦点ずれゾーンが、環形の第１の矯正ゾーンによって直接に取り囲まれている、請求項２７に記載の同心多ゾーン多焦点レンズ。
【請求項２９】
前記第１の矯正ゾーンが、環形の第２の焦点ずれゾーンによって直接に取り囲まれている、請求項２８に記載の同心多ゾーン多焦点レンズ。
【請求項３０】
前記第２の焦点ずれゾーンが、付加的な焦点ずれゾーン及び矯正ゾーンによって交互に取り囲まれている、請求項２９に記載の同心多ゾーン多焦点レンズ。
【請求項３１】
前記少なくとも１つの矯正ゾーンの前記屈折力と前記少なくとも１つの焦点ずれゾーンのピーク屈折力との間の最大差が約０．５〜１０．０ジオプトリの間である、請求項２１に記載の同心多ゾーン多焦点レンズ。
【請求項３２】
前記中心ゾーンの直径が約２．０ｍｍ〜４．５ｍｍである、請求項２３又は２７に記載の同心多ゾーン多焦点レンズ。
【請求項３３】
前記少なくとも１つの焦点ずれゾーンの少なくとも一部分と前記矯正ゾーンの少なくとも一部分とが同時に瞳孔の上に位置する、請求項２１に記載の同心多ゾーン多焦点レンズ。
【請求項３４】
前記少なくとも１つの焦点ずれゾーンに対するある範囲の複数の屈折力をさらに含む、請求項２１に記載の同心多ゾーン多焦点レンズ。
【請求項３５】
前記少なくとも１つの焦点ずれゾーンの屈折力プロファイルが漸進的であり、それによって隣接する曲線間の遷移が漸進的になる、請求項２１に記載の同心多ゾーン多焦点レンズ。
【請求項３６】
前記漸進的な屈折力プロファイルが、当該レンズの前側の屈折面の曲率半径を調整することによって、又は前記レンズの後面の曲率若しくは当該レンズの屈折率を調整することによって生み出される、請求項２５に記載の同心多ゾーン多焦点レンズ。
【請求項３７】
当該レンズの隣合うゾーン間に、組み込まれた漸進的な遷移曲線をさらに含む、請求項２１に記載の同心多ゾーン多焦点レンズ。
【請求項３８】
前記少なくとも１つの矯正ゾーンの全体にわたって同じ単一の均質な屈折力をさらに含む、請求項２１に記載の同心多ゾーン多焦点レンズ。
【請求項３９】
ある範囲の瞳孔サイズ及び照明条件に対して前記矯正ゾーンと前記焦点ずれゾーンの面積比を比較的に安定した大きさに維持するために、７つの矯正ゾーン及び６つの焦点ずれゾーンを有する、請求項２１に記載の同心多ゾーン多焦点レンズ。
【請求項４０】
２つの矯正ゾーン及び１つの焦点ずれゾーンを有する、請求項２１に記載の同心多ゾーン多焦点レンズ。
【請求項４１】
屈折異常を矯正する光学屈折力の矯正ゾーンと、
近視性の眼の成長を抑制するために、網膜の少なくとも一部分の前方に、焦点がずれた均質でない少なくとも１つの像を投影する焦点ずれゾーンであり、少なくとも１つのより弱い負の屈折力を有する、焦点ずれゾーンと
を備えるレンズであって、
当該レンズ内において前記矯正ゾーンと前記焦点ずれゾーンとが交互に並んでおり、複数の前記ゾーンが、組み込まれた漸進的な遷移曲線によって互いに接続されている、レンズ。